【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
データ送信を最適化するための方法であって、
ＵＥにおいて、ネットワークノードからメッセージを受信することと、ここにおいて、前記メッセージは、補助の第１の通信チャネルがデータを送信するために利用可能であるかどうかを示すインジケータを備え、前記補助の第１の通信チャネルは、アップリンクデータを送信するために利用可能な通信チャネルよりも高いデータ・レートを有する、
ネットワークからの前記メッセージにおける前記インジケータに基づいて前記補助の通信チャネルがデータの送信に利用可能であるかどうかを判定することと、
前記補助の通信チャネルが利用可能であると判定すると、前記通信チャネルの代わりに前記補助の通信チャネルを介して前記データを送信することと、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定することと、を備え、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、方法。
【請求項２】
前記補助のチャネルおよび前記通信チャネルは、ＣＤＭＡ２０００  １ｘ通信システムにおけるチャネルである、請求項１に記載の方法。
【請求項３】
前記補助の第１の通信チャネルは前記通信チャネルよりも多くの電力を必要とする、請求項１に記載の方法。
【請求項４】
スリープ状態に入り、後続のアウェイク期間中に前記補助の第１の通信チャネルが利用可能になったかどうかを判定することは、前記補助の通信チャネルが利用可能になるまでデータ送信を遅延させることをさらに含む、請求項１に記載の方法。
【請求項５】
前記バックオフ・タイマーが満了し、前記補助の通信チャネルが利用可能になっていないことを判定すると、前記通信チャネルを介して前記データを送信することをさらに備える、請求項１に記載の方法。
【請求項６】
前記ネットワークノードからの前記メッセージは前記通信チャネルを介して受信される、請求項１に記載の方法。
【請求項７】
前記ネットワークノードからの前記メッセージは、前記補助の通信チャネルに関連付けられた、周期的に受信されたチャネルアベイラビリティメッセージを含む、請求項１に記載の方法。
【請求項８】
前記ネットワークノードからの前記メッセージは、ジェネラル・ページ・メッセージに付加されたフィールドにおいて周期的に受信される、請求項１に記載の方法。
【請求項９】
前記バックオフ・タイマーの値が、前記データを送信することを求める第１のマシンと、前記第１のマシンに関連付けられたサーバーとの間でネゴシエートされる、請求項１に記載の方法。
【請求項１０】
前記バックオフ・タイマーの値が、前記データの前記送信を遅延させることに関連した電力トレードオフの量の関数である、請求項１に記載の方法。
【請求項１１】
アベイラビリティについての前記補助の第１の通信チャネルの継続的なモニタリング、およびバックオフ期間について前記データの送信を遅延させることに関連した第１の電力値を計算することと、
前記補助の第１の通信チャネルが利用可能でないと判定すると、前記通信チャネルを介しての前記データの送信に関連した第２の電力値を計算することと、
電力トレードオフの前記量を決定するために、前記第１の電力値と前記第２の電力を比較することと、
をさらに備える、請求項１０に記載の方法。
【請求項１２】
データ送信を最適化するための装置であって、
ＵＥにおいて、ネットワークノードからメッセージを受信するための手段と、ここにおいて、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記ネットワークノードからの前記メッセージにおける前記インジケータに基づいて前記補助の通信チャネルがデータの送信に利用可能であるかどうかを判定するための手段と、
前記補助の通信チャネルが利用可能であると判定すると、前記通信チャネルの代わりに前記補助の通信チャネルを介して前記データを送信するための手段と、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定するための手段と、を備え、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、装置。
【請求項１３】
前記補助のチャネルおよび前記通信チャネルは、ＣＤＭＡ２０００  １ｘ通信システムにおけるチャネルである、請求項１２に記載の装置。
【請求項１４】
前記ネットワークノードからの前記メッセージは、前記補助の通信チャネルに関連付けられた、周期的に受信されたチャネルアベイラビリティメッセージを含む、請求項１２に記載の装置。
【請求項１５】
前記バックオフ・タイマーの値が、前記データの前記送信を遅延させることに関連した電力トレードオフの量の関数である、請求項１２に記載の装置。
【請求項１６】
データ送信を最適化するための装置であって、
ＵＥにおいて、ネットワークノードからメッセージを受信することと、ここにおいて、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記ネットワークノードからの前記メッセージにおける前記インジケータに基づいて前記補助の通信チャネルがデータの送信に利用可能であるかどうかを判定することと、
前記補助の通信チャネルが利用可能であると判定すると、前記通信チャネルの代わりに前記補助の通信チャネルを介して前記データを送信することと、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定することと、
を行うように構成された少なくとも１つのプロセッサであって、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、少なくとも１つのプロセッサと、
前記少なくとも１つのプロセッサに結合されたメモリと
を備える、装置。
【請求項１７】
前記補助のチャネルおよび前記通信チャネルは、ＣＤＭＡ２０００  １ｘ通信システムにおけるチャネルである、請求項１５に記載の装置。
【請求項１８】
前記補助の通信チャネルは前記通信チャネルよりも多くの電力を必要とする、請求項１６に記載の装置。
【請求項１９】
スリープ状態に入るように構成された、後続のアウェイク期間中に前記補助の通信チャネルが利用可能になったかどうかを判定する前記少なくとも１つのプロセッサは、前記補助の通信チャネルが利用可能になるまでデータ送信を遅延させるように構成された少なくとも１つのプロセッサをさらに含む、請求項１６に記載の装置。
【請求項２０】
前記少なくとも１つのプロセッサは、前記バックオフ・タイマーが満了し、前記補助の通信チャネルが利用可能になっていないことを判定すると、前記通信チャネルを介して前記データを送信するようにさらに構成される、請求項１６に記載の装置。
【請求項２１】
前記ネットワークノードからの前記メッセージは前記通信チャネルを介して受信される、請求項１６に記載の装置。
【請求項２２】
前記ネットワークノードからの前記メッセージは前記補助の通信チャネルに関連付けられた、周期的に受信されたチャネルアベイラビリティメッセージを含む、請求項１６に記載の装置。
【請求項２３】
前記ネットワークノードからの前記メッセージはジェネラル・ページ・メッセージに付加されたフィールドにおいて周期的に受信される、請求項１６に記載の装置。
【請求項２４】
前記バックオフ・タイマーの値が、前記データを送信することを求める第１のマシンと、前記第１のマシンに関連付けられたサーバーとの間でネゴシエートされる、請求項１６に記載の装置。
【請求項２５】
前記バックオフ・タイマーの値が、前記データの前記送信を遅延させることに関連した電力トレードオフの量の関数である、請求項１６に記載の装置。
【請求項２６】
前記少なくとも１つのプロセッサは、
アベイラビリティについての前記第１の通信チャネルの継続的なモニタリング、およびバックオフ期間についてデータの送信を遅延させることに関連した第１の電力値を計算することと、
前記第１の通信チャネルが利用可能でないと判定すると、前記第２の通信チャネルを介しての前記データの送信に関連した第２の電力値を計算することと、
電力トレードオフの量を決定するために、前記第１の電力値と前記第２の電力を比較することと、
を行うようにさらに構成される、請求項１６に記載の装置。
【請求項２７】
ＵＥにおいて、ネットワークノードからメッセージを受信することと、ここにおいて、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記ネットワークノードからの前記メッセージにおける前記インジケータに基づいて前記補助の通信チャネルがデータの送信に利用可能であるかどうかを判定することと、
前記補助の通信チャネルが利用可能であると判定すると、前記通信チャネルの代わりに前記補助の通信チャネルを介して前記データを送信することと、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定することと、
のためのコードを備え、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、非一時的コンピュータ可読媒体。
【請求項２８】
前記補助のチャネルおよび前記通信チャネルは、ＣＤＭＡ２０００  １ｘ通信システムにおけるチャネルである、請求項２７に記載のコンピュータ・プログラム製品。
【請求項２９】
前記ネットワークノードからの前記メッセージは、前記補助の通信チャネルに関連付けられた、周期的に受信されたチャネルアベイラビリティメッセージを含む、請求項２７に記載のコンピュータ・プログラム製品。
【請求項３０】
前記バックオフ・タイマーの値が、前記データの前記送信を遅延させることに関連した電力トレードオフの量の関数である、請求項２７に記載のコンピュータ・プログラム製品。
【請求項３１】
データ送信を最適化するための方法であって、
メッセージを周期的に送信することと、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記補助の通信チャネルへのアクセスに関する要求を受信することと、
前記要求を送信したデバイスに関連付けられたクラス値に基づいて、前記補助の通信チャネルへのアクセスを許可すべきかどうかを判定することと、
を備える方法。
【請求項３２】
前記メッセージを周期的に送信することが、前記補助の通信チャネルに関連付けられたチャネルアベイラビリティメッセージを生成し、送信することを含む、請求項３１に記載の方法。
【請求項３３】
前記インジケータは、既存のメッセージに付加されたフィールドを含む、請求項３１に記載の方法。
【請求項３４】
データ送信を最適化するための装置であって、
メッセージを周期的に送信するための手段と、ここにおいて、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記補助の通信チャネルへのアクセスに関する要求を受信するための手段と、
前記要求を送信したデバイスに関連付けられたクラス値に基づいて、前記補助の通信チャネルへのアクセスを許可すべきかどうかを判定するための手段と、
を備える装置。
【請求項３５】
前記メッセージを周期的に送信するための前記手段が、前記補助の通信チャネルに関連付けられたチャネルアベイラビリティメッセージを生成および送信するための手段を含む、請求項３４に記載の装置。
【請求項３６】
前記インジケータは、既存のメッセージに付加されたフィールドを含む、請求項３４に記載の方法。
【請求項３７】
データ送信を最適化するための装置であって、
メッセージを周期的に送信することと、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記補助の通信チャネルへのアクセスに関する要求を受信することと、
前記要求を送信したデバイスに関連付けられたクラス値に基づいて、前記補助の通信チャネルへのアクセスを許可すべきかどうかを判定することと、
を行うように構成された少なくとも１つのプロセッサと、
前記少なくとも１つのプロセッサに結合されたメモリと、
を備える装置。
【請求項３８】
前記メッセージを周期的に送信するように構成された前記プロセッサは、前記補助の第１の通信チャネルに関連付けられたチャネルアベイラビリティメッセージの生成および送信を行うように構成されたプロセッサを含む、請求項３７に記載の装置。
【請求項３９】
前記インジケータは、既存のメッセージに付加されたフィールドを含む、請求項３７に記載の方法。
【請求項４０】
メッセージを周期的に送信することと、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記補助の通信チャネルへのアクセスに関する要求を受信することと、
前記要求を送信したデバイスに関連付けられたクラス値に基づいて、前記補助の通信チャネルへのアクセスを許可すべきかどうかを判定することと、
のためのコードを備える非一時的コンピュータ可読媒体。
【請求項４１】
前記メッセージを周期的に送信するための前記コードは、前記補助の通信チャネルに関連付けられたチャネルアベイラビリティメッセージを生成および送信するためのコードを含む、請求項４０に記載のコンピュータ・プログラム製品。
【請求項４２】
前記インジケータは、既存のメッセージに付加されたフィールドを含む、請求項４０に記載のコンピュータ・プログラム製品。
【請求項４３】
前記バックオフ・タイマーが満了し、前記補助の通信チャネルが利用可能になっていないことを判定すると、前記通信チャネルを介して前記データを送信するための手段をさらに備える、請求項１２に記載の装置。
【請求項４４】
前記非一時的コンピュータ可読媒体は、前記バックオフ・タイマーが満了し、前記補助の通信チャネルが利用可能になっていないことを判定すると、前記通信チャネルを介して前記データを送信するためのコードをさらに備える、請求項２７に記載のコンピュータ・プログラム製品。